(57)【要約】【課題】スイングし易くし、疲労軽減とパワーアップにより、ボール等の直進安定性を増し、飛距離を伸ばすようにする。【解決手段】４分の１円板状部材を本体２にし、その本体２の直角コーナ部６を形成する一側面４ａを使用者のスイング前方向に向け、他側面４ｂを使用者に向けて配置し、その本体２の表側主面３ａの直角コーナ部６の付近とスイング前方向に向く側面４ａの先端部付近に突部７、８を夫々設ける。又は、その本体２の表側主面３ａの使用者に向く側面４ｂの付近と使用者に向く側面４ｂに突部を夫々設け、その主面突部のスイング後方端位置と側面突部のスイング前方端位置とをほぼ等しくする。【選択図】　　　　図１
2004097612.tif 000002
【特許請求の範囲】
【請求項１】
４分の１円板状部材を本体にし、その本体の直角コーナ部を形成する一側面を使用者のスイング前方向に向け、他側面を使用者に向けて配置し、その本体の表側主面の直角コーナ部付近とスイング前方向に向く側面の先端部付近に突部を夫々設けることを特徴とするスイングコントロールウエイト。
【請求項２】
４分の１円板状部材を本体にし、その本体の直角コーナ部を形成する一側面を使用者のスイング前方向に向け、他側面を使用者に向けて配置し、その本体の表側主面の使用者に向く側面付近と使用者に向く側面に突部を夫々設け、その主面突部のスイング後方端位置と側面突部のスイング前方端位置とをほぼ等しくすることを特徴とするスイングコントロールウエイト。
【請求項３】
本体の裏側主面に本体の重心位置から裏側主面と直角方向に突出する取り付け手段を設けることを特徴とする請求項１又は２記載のスイングコントロールウエイト。
【請求項４】
本体の裏側主面に接着層を設けることを特徴とする請求項１、２又は３記載のスイングコントロールウエイト。
【発明の詳細な説明】
【０００１】
【発明の属する技術分野】
本発明は各種スポーツで使用するクラブ、バット、ラケット等のスイングコントロールウエイトに関する。
【０００２】
【従来の技術】
従来、ゴルフクラブを用いて自分に合ったスイングをするための補助部品として、円板状のウエイトが市販されている。この円板状ウエイトは通常グリップの後端面に張り付け、或いは後端面を覆うゴムを剥がして埋め込む等して、先端部にあるヘッドとの重さのバランス調整に使用する。すると、ゴルフクラブの重心を後端面側に移動させてスイングを自分に合わせることができる。
【０００３】
しかし、ウエイトが円板状であると方向性がなく、ゴルフクラブをボール目掛けて円滑に移動し難い。それ故、ゴルフクラブを強く振りきれずボールの飛距離が伸びない。しかも、ボールがスライス（右方向に曲ること）或いはフック（左方向に曲ること）し易い。そこで、本出願人は、先に特願２００１−０８５１７３として、４分の１円板状部材からなるスイングコントロールウエイトを提示し、ウエイトに方向性を持たせた。
【０００４】
このようなスイングコントロールウエイトを使用すると、ウエイトの形状をイメージしながら、その形状に基づくウエイトの重量分布状態を感じられるため、スイング方向とウエイトの直交する２側面の位置との関係を意識できる。すると、ウエイトによりスイング状態を自動的に修正できるため、ぶれ難くなり、ボールに直角にフェース面を当て易くなり、パッティングの精度を上げることができる。それ故、ボールが左右に切れ難く直進安定性が増す。又、ウエイトの直交する２側面の両先端を円弧側面で接続しているため、最後のスイング位置でぶれ難く、円滑にスピーディに振り切って、ボールの飛距離を伸ばすことができる。
【０００５】
【発明が解決しようとする課題】
しかしながら、ゴルフではボールの直進安定性を増し、飛距離を伸ばすための工夫が絶えず求められる。又、スイング時の疲労軽減とパワーアップの観点からスイングのし易さが問題になる。
【０００６】
本発明はこのような従来の問題点に着目してなされたものであり、スイングをし易くし、疲労軽減とパワーアップにより、ボール等の直進安定性を増し、飛距離を伸ばすことのできるスイングコントロールウエイトを提供することを目的とする。
【０００７】
【課題を解決するための手段】
上記目的を達成するために、本発明によるスイングコントロールウエイトは４分の１円板状部材を本体にする。そして、その本体の直角コーナ部を形成する一側面を使用者のスイング前方向に向け、他側面を使用者に向けて配置し、その本体の表側主面の直角コーナ部付近とスイング前方向に向く側面の先端部付近に突部を夫々設ける。
【０００８】
又、本発明による他のスイングコントロールウエイトも４分の１円板状部材を本体にする。そして、その本体の直角コーナ部を形成する一側面を使用者のスイング前方向に向け、他側面を使用者に向けて配置し、その本体の表側主面の使用者に向く側面付近と使用者に向く側面に突部を夫々設け、その主面突部のスイング後方端位置と側面突部のスイング前方端位置とをほぼ等しくする。
【０００９】
又、上記本体の裏側主面に本体の重心位置から裏側主面に対して垂直方向に突出する取り付け手段を設けると好ましくなる。
又、上記本体の裏側主面に接着層を設けるとよい。
【００１０】
【発明の実施の形態】
以下、添付の図１〜１０を参照して、本発明の実施の形態を説明する。
図１は本発明を適用したスイングコントロールウエイトをゴルフクラブ（ウッド）のグリップ後端面に取り付けた状態を示す斜視図、図２はそのスイングコントロールウエイトの斜視図である。このスイングコントロールウエイト１にはウエイトに適する部材として、例えば真鍮、鉛、銀、銅等の金属部材を用いる。そして、ウエイト１はその本体２を４分の１円板状部材にし、例えばその寸法を半径が１５ｍｍで板厚を３ｍｍにし、重量を１０ｇにする。すると、本体２には当然表裏主面３（３ａ、３ｂ）があり、直交する２側面４（４ａ、４ｂ）、円弧側面５等を備えている。なお、使用時には本体２の直角コーナ部６を形成する一側面４ａを使用者のスイング前方向に向け、他側面４ｂを使用者に向けて配置する。
【００１１】
この本体２に対し、その表側主面３ａの直角コーナ部６の付近に、その主面３ａに対して垂直方向に突出する突部７を設け、更にスイング前方向に向く側面４ａの先端部付近に、その側面４ａに対して垂直方向に突出する突部８を設ける。その際、図３に示すように主面突部７と側面突部８の形状をいずれも例えば直方体にする。そして、各突部７、８の直角コーナ部６を形成する本体両縁に平行な方向の長さをいずれも本体半径の１／２以下にして、各突部７、８の突出長をいずれも本体２の厚み以下にする。なお、本体２の主面突部７の設置領域内に本体２の重心位置９を含ませないようにする。
【００１２】
又、本体２の裏側主面３ｂには取り付け手段として、本体２の重心位置９から裏側主面３ｂに対して垂直方向に突出する柱状の取り付けピン１０を設ける。その際、取り付けピン１０による本体２の取り付け固定を良好に行うため、そのピン１０の例えば中央寄り先端側の一部分にピン１０の径より太くした抜け止め部１１を設けておく。
【００１３】
このようなウエイト１をゴルフクラブに取り付ける場合、通常ゴルフの全クラブにはいずれにも、図４に示すようにそのグリップ後端面１２の中央にボール位置の目印として使うマーカー取り付け用の穴１３が開けられているので、その中央穴１３を利用する。すると、ウエイト１の取り付けピン１０を中央穴１３の内部に押し込むだけでグリップ構成材であるゴムの弾力性による抜け止め作用が働き、図５に示すようにその本体２をグリップ後端面１２の所定位置を覆うようにして取り付け固定できる。なお、グリップ後端面１２は僅かに曲面状態になっているので、ウエイト本体２をその曲面に良く接触できるような曲面状態にする。
【００１４】
しかも、ウエイト１をグリップ１４へ取り付ける際には、図１に示すようにその本体２の直交する２側面４からなる直角コーナ部６をゴルフクラブ１５の正面側にいる使用者（プレーヤー）に向け、更にそのヘッド１６のフェース面１７と直角な方向である使用者のスイング前方向（図ではＸ軸の左方向）に向けて配置する。そして、更にその一側面４ｂをスイング方向（Ｘ軸方向）と平行に配置することにより、ウエイト本体２の位置決めを正確に行なう。すると、当然直交する他の一側面４ａはスイング方向に直角な方向（Ｙ軸方向）と平行になり、円弧側面５がスイングの前方向では使用者から一番離れ、後方向に行くに従って順次近付くようになる。なお、ウエイト１をグリップ１４へ取り付ける際に、一側面４ｂをスイング方向と平行に配置せず、少し傾斜を持たせる等、その角度調整を使用者の好みに応じて適宜行なってもよい。
【００１５】
このようにして、ウエイト１を取り付けた後にゴルフクラブ１５を使用する場合、使用者はグリップ１４を握って構え、スイングしてフェース面１７でボールを打つ。その際、ウエイト１の形状をイメージしながら、その形状に基づくウエイト１の重量分布状態を感じられて、スイング方向とウエイト本体２の直交する２側面４の位置との関係を意識できる。すると、その本体２によりスイング状態を自動的に修正できるため、ゴルフクラブがぶれ難く、ヘッド１６のフェース面１７を円滑に移動してボールに直角に当て易くなり、パッティングの精度を上げることができる。それ故、ボールが左右に切れ難く直進安定性が増す。
【００１６】
又、ウエイト１を取り付けてグリップ後端面１２を重くし、そのウエイト本体２の直交する２側面４の両先端を円弧側面５で接続しているため、最後のスイング位置でぶれ難く、円滑にスピーディに振り切ってヘッド１６を返すことができる。それ故、ボールの飛距離が伸びる。更に、ウエイト１にはその本体２の表側主面３ａの直角コーナ部６の付近とスイング前方向に向く側面４ａの先端部付近に突部７、８を夫々設けておくと、スイング時にウエイト１がその各突部７、８の位置、形状、重さ等により、図６に示すようにその本体２のスイング方向に垂直な側面４ａを斜めにする矢印方向への回転がし易くなる。すると、手首のひねりがきいて、手首を返し易くなるため、ヘッド１６のフェース面１７にボールが乗り易くなって、インパクトがソフトタッチになる。しかも、バックスイングが少ない、小さなスイングですむため、ボールを狙い易くなる。それ故、疲労軽減とパワーアップにより、一層直進安定性が優れたものになり、飛距離も伸びる。
【００１７】
そして、このようなウエイト１をゴルフクラブ１６のグリップ後端面１２へ取り付け使用する場合、スイング時に体全体で大きな円を描く必要のあるアイアン系、ウッド系、ドライバー等への使用が適しており、ボールの直進安定性により飛方向が安定して、飛距離が１０ヤード以上伸びる。なお、ウエイトはその大きさ、重さ等を変えて製作しておき、使用者の好みにより適宜選択できるようにするとよい。
【００１８】
図７は本発明を適用した他のゴルフ用スイングコントロールウエイトの斜視図、図８はそのスイングコントロールウエイトの平面図である。このスイングコントロールウエイト１８はその本体２、その本体２の重心位置９から突出する取り付けピン１０、その取り付けピン１０に設ける抜け止め部１１の形状、構造等をスイングコントロールウエイト１と同一にし、それ等の対応部分には同一符号をつける。しかし、スイングコントロールウエイト１が本体２の表側主面３ａの直角コーナ部６の付近とスイング前方向に向く側面４ａの先端部付近に突部７、８を夫々設けるのに対し、スイングコントロールウエイト１８では本体２の表側主面３ａの使用者に向く側面４ｂの付近と使用者に向く側面４ｂに突部１９、２０を夫々設ける。
【００１９】
その際、主面突部１９は表側主面３ａの直角コーナ部６の付近に、その主面３ａに対して垂直方向に突出するように設け、側面突部２０は側面４ｂに対して垂直方向に突出するように設ける。しかも、図８に示すようにその主面突部１９のスイング後方端位置と側面突部２０のスイング前方端位置をほぼ等しくし（図では等しい）各突部１９、２０の形状をいずれも例えば直方体にする。そして、各突部１９、２０の直角コーナ部６を形成する本体両縁に平行な方向の長さをいずれも本体半径の１／２以下にして、各突部１９、２０の突出長をいずれも本体２の厚み以下にする。なお、本体２の主面突部１９の設置領域内に本体２の重心位置９を含ませないようにする。
【００２０】
このようなウエイト１８をゴルフクラブの後端面に同様に取り付けて使用すると、ウエイト１８にはその本体２の表側主面３ａの使用者に向く側面４ｂの付近と使用者に向く側面４ｂに突部１９、２０を夫々設け、その主面突部１９のスイング後方端位置と側面突部２０のスイング前方端位置とをほぼ等しくしているため、スイング時にウエイト１８がその各突部１９、２０の位置、形状、重さ等により、図９に示すようにその本体２のスイング方向と平行な側面４ｂを斜めにする矢印方向への回転がし易くなる。
【００２１】
すると、手首のひねりがきいて、手首を返し易くなり、ヘッドのフェース面にボールが乗り易くなって、インパクトがソフトタッチになる。しかも、バックスイングが少ない、小さなスイングですむため、ボールを狙い易くなる。それ故、スイングし易くなり、疲労軽減とパワーアップにより、一層直進安定性が優れたものになり、飛距離も伸びる。特に、手元だけで小さな円を描く必要のあるパターへの使用が適しており、ボールの直進安定性により飛方向が安定するため、カップイン率が１０％以上向上する。なお、ウエイトはその大きさ、重さ等を変えて製作できるばかりでなく、各突部１９、２０の位置を使用者に向く側面３ｂに沿って、図１０に示す側面４ｂの先端位置まで矢印方向に移動することができるので、使用者の好みにより適宜選択できるようにするとよい。
【００２２】
上記実施の形態ではウエイト本体２の裏側主面３ｂに取り付けピン１１を設ける場合について説明したが、本体２を一層強く固定するための取り付け手段として、片面接着テープを用い或いは本体２の裏側主面３ｂに両面接着テープを用いる等して接着層を設けることができる。
【００２３】
又、上記実施の形態ではスイングコントロールウエイト１１、１８をゴルフクラブ１５のグリップ後端面１２に取り付けて使用する場合について説明したが、ゴルフクラブ、野球のバット、テニスやバドミントンのラケット等の任意の位置に取り付けて使用することもできる。
【００２４】
【発明の効果】
以上説明した本発明によれば、請求項１記載の発明ではウエイトの形状をイメージしながら、その形状に基づくウエイトの重量分布状態を感じられるため、スイング方向とウエイト本体の直交する２側面の位置との関係を意識できる。すると、その本体によりスイング状態を自動的に修正できるため、ぶれ難くなって、ボール等に直角にフェース面を当て易くなり、パッティングの精度を上げることができる。それ故、ボール等が左右に切れ難く直進安定性が増す。又、ウエイト本体の直交する２側面の両先端を円弧側面で接続しているため、最後のスイング位置でぶれ難く、円滑にスピーディに振り切って、ボール等の飛距離を伸ばすことができる。
【００２５】
又、ウエイト本体の表側主面の直角コーナ部付近とスイング前方向に向く側面の先端部付近に突部を夫々設けておくと、スイング時にウエイトが各突部の位置、形状、重さ等により、スイング方向に垂直な側面を斜めにする回転がし易くなる。すると、手首のひねりがきいて、手首を返し易くなり、ボール等がフェース面に乗り易くなって、インパクトがソフトタッチになる。しかも、バックスイングが少ない、小さなスイングですむため、ボール等を狙い易くなる。それ故、スイングし易くなり、疲労軽減とパワーアップにより、一層直進安定性が優れたものになり、飛距離も伸びる。
【００２６】
又、請求項２記載の発明ではウエイト本体の表側主面の使用者に向く側面付近と使用者に向く側面に突部を夫々設けておくことにより、スイング時にウエイトが各突部の位置、形状、重さ等により、スイング方向と平行な側面を斜めにする回転がし易くなる。すると、手首のひねりがきいて、手首を返し易くなり、ボール等がフェース面に乗り易くなって、インパクトがソフトタッチになる。しかも、バックスイングが少ない、小さなスイングですむため、ボール等を狙い易くなる。それ故、スイングし易くなり、疲労軽減とパワーアップにより、一層直進安定性が優れたものになり、飛距離も伸び、カップイン率も向上する。
【００２７】
又、請求項３記載の発明ではウエイト本体の裏側主面の本体重心位置から突出する取り付け手段によって、ウエイトを簡単に取り付けることができ、スイング方向と本体の直交する２側面の位置を合わせ易くなり、本体の位置決めを正確に行える。
【００２８】
又、請求項４記載の発明ではウエイト本体の裏側主面に設けた接着層によって簡単に取り付けることができ、その裏側主面に突出する取り付け手段を設けてあるものでは、その接着層によって一層強く固定できる。
【図面の簡単な説明】
【図１】本発明を適用したスイングコントロールウエイトをゴルフクラブのグリップ後端面に取り付けた状態を示す斜視図である。
【図２】同スイングコントロールウエイトの斜視図である。
【図３】同スイングコントロールウエイトの平面図である。
【図４】同ゴルフクラブのグリップ後端面の正面図である。
【図５】同スイングコントロールウエイトを取り付けたゴルフクラブのグリップ後端面の正面図である。
【図６】同スイングコントロールウエイトのスイング時におけるスイング方向と垂直な側面を斜めにする回転を示す平面図である。
【図７】本発明を適用した他のスイングコントロールウエイトの斜視図である。
【図８】同スイングコントロールウエイトの平面図である。
【図９】同スイングコントロールウエイトのスイング時におけるスイング方向と平行な側面を斜めにする回転を示す平面図である。
【図１０】
同スイングコントロールウエイトの各突部をスイング方向と平行な側面の先端
方向に向けて移動し、その先端付近に設置した状態を示す平面図である。
【符号の説明】
１、１８…スイングコントロールウエイト　２…本体　３…主面　４、５…側面　６…コーナ部　７、１９…主面突部　８、２０…側面突部　９…重心　１０…取り付け手段（ピン）　１１…抜け止め部　１２…グリップ後端面　１４…グリップ　１５…ゴルフクラブ　１６…ヘッド　１７…フェース面
【図１】
2004097612.tif 000003
【図２】
2004097612.tif 000004
【図３】
2004097612.tif 000005
【図４】
2004097612.tif 000006
【図５】
2004097612.tif 000007
【図６】
2004097612.tif 000008
【図７】
2004097612.tif 000009
【図８】
2004097612.tif 000010
【図９】
2004097612.tif 000011
【図１０】
2004097612.tif 000012